(57)【要約】【課題】動画像再生時に、動画像記録と同時に記録された静止画を容易に読み出すことが可能な記録装置、再生装置、記録方法、再生方法及びプログラムを提供すること。【解決手段】静止画撮影時に撮像装置が第１の記録媒体に記録した静止画データの第１の記録媒体におけるファイル名を含む撮影情報データを受信する撮影情報受信部１１０と、撮像素子からフレーム単位で順次出力される動画像データと、動画像データに関連付けされた撮影情報データとを第２の記録媒体に記録する媒体記録部１５０とを備えることを特徴とする。【選択図】図１
2009159314.tif 000002
【特許請求の範囲】
【請求項１】
静止画撮影時に撮像装置が第１の記録媒体に記録した静止画データの前記第１の記録媒体におけるファイル名を含む撮影情報データを受信する撮影情報受信部と、
撮像素子からフレーム単位で順次出力される動画像データと、前記動画像データに関連付けされた前記撮影情報データとを第２の記録媒体に記録する媒体記録部と、
を備えることを特徴とする、記録装置。
【請求項２】
撮像素子からフレーム単位で順次出力される動画像データと、前記動画像データに関連付けされ静止画撮影時に撮像装置が第１の記録媒体に記録した静止画データの前記第１の記録媒体におけるファイル名を含む撮影情報データとが記録された第２の記録媒体から前記撮影情報データを抽出する撮影情報抽出部と、
前記撮影情報データに基づいて、前記動画像データに対応する前記静止画データを前記第１の記録媒体から読み出す静止画像データ読出し部と、
を備えることを特徴とする、再生装置。
【請求項３】
静止画撮影時に撮像装置が第１の記録媒体に記録した静止画データの前記第１の記録媒体におけるファイル名を含む撮影情報データを受信するステップと、
撮像素子からフレーム単位で順次出力される動画像データと、前記動画像データに関連付けされた前記撮影情報データとを第２の記録媒体に記録するステップと、
を備えることを特徴とする、記録方法。
【請求項４】
撮像素子からフレーム単位で順次出力される動画像データと、前記動画像データに関連付けされ静止画撮影時に撮像装置が第１の記録媒体に記録した静止画データの前記第１の記録媒体におけるファイル名を含む撮影情報データとが記録された第２の記録媒体から前記撮影情報データを抽出するステップと、
前記撮影情報データに基づいて、前記動画像データに対応する前記静止画データを前記第１の記録媒体から読み出すステップと、
を備えることを特徴とする、再生方法。
【請求項５】
静止画撮影時に撮像装置が第１の記録媒体に記録した静止画データの前記第１の記録媒体におけるファイル名を含む撮影情報データを受信する手段、
撮像素子からフレーム単位で順次出力される動画像データと、前記動画像データに関連付けされた前記撮影情報データとを第２の記録媒体に記録する手段、
をコンピュータに実行させるためのプログラム。
【請求項６】
撮像素子からフレーム単位で順次出力される動画像データと、前記動画像データに関連付けされ静止画撮影時に撮像装置が第１の記録媒体に記録した静止画データの前記第１の記録媒体におけるファイル名を含む撮影情報データとが記録された第２の記録媒体から前記撮影情報データを抽出する手段、
前記撮影情報データに基づいて、前記動画像データに対応する前記静止画データを前記第１の記録媒体から読み出す手段、
をコンピュータに実行させるためのプログラム。
【発明の詳細な説明】
【技術分野】
【０００１】
本発明は、記録装置、再生装置、記録方法、再生方法及びプログラムに関する。
【背景技術】
【０００２】
撮像装置には、動画像を主に記録可能なカムコーダや、静止画像を主に記録可能なデジタルスチルカメラ（ＤＳＣ）などがある。近年、カムコーダであっても静止画を記録できたり、反対にデジタルスチルカメラであっても連写機能によって動画像のように画像を記録できたりするものがある。しかし、カムコーダ、デジタルスチルカメラを併用して撮影する使用方法も依然として多く存在する。
【０００３】
一方、特許文献１では、無線通信によって複数のデジタルカメラをグループ化し、グループ内で共通のコマンドを実行させる技術が開示されている。特許文献１の技術によれば、同一グループ内に属するデジタルカメラが共通のコマンドを受信することで、同一の撮影条件で被写体を撮像することができる。
【０００４】
また、特許文献２では、撮影時に近隣にある他のカメラと撮影情報（例えば、ユーザ情報、日時情報、位置情報等）を交換し、交換された撮影情報を記録するカメラに関する技術が開示されている。特許文献２の技術によれば、近隣に居合わせた見ず知らずのユーザが使用するカメラとの間で、ワイヤレスで自動的に撮影情報が交換されるため、他のユーザとの交流を図ったり、多面的な撮影で構成される作品を製作したりすることができる。
【０００５】
【特許文献１】特開２００６−２１７３５７号公報
【特許文献２】特開２００５−２２３８１４号公報
【発明の開示】
【発明が解決しようとする課題】
【０００６】
しかし、特許文献２の技術では、ユーザ（撮影者）やカメラ（機器）同士の関連を持たせることができ、他のユーザとの交流を図ることは可能となるが、例えば、運動会などのイベントで、動画像を主に撮影可能なカムコーダと、静止画を主に撮影可能なデジタルスチルカメラを併用して同一被写体を撮影した場合について、撮影情報を交換することまで考慮されていなかった。そして、カムコーダで撮影、記録されたシーンのうちどの時点がデジタルスチルカメラで撮影したかを、写真に基づいて判断したり、逆に動画像に基づいてどこに静止画が存在するかを判断したりすることは困難であった。そのため、カムコーダやデジタルスチルカメラによって記録された映像や写真を整理するためには、非常に多大な作業量が必要となるという問題があった。
【０００７】
そこで、本発明は、上記問題に鑑みてなされたものであり、本発明の目的とするところは、動画像再生時に、動画像記録と同時に記録された静止画を容易に読み出すことが可能な、新規かつ改良された記録装置、再生装置、記録方法、再生方法及びプログラムを提供することにある。
【課題を解決するための手段】
【０００８】
上記課題を解決するために、本発明のある観点によれば、静止画撮影時に撮像装置が第１の記録媒体に記録した静止画データの第１の記録媒体におけるファイル名を含む撮影情報データを受信する撮影情報受信部と、撮像素子からフレーム単位で順次出力される動画像データと、動画像データに関連付けされた撮影情報データとを第２の記録媒体に記録する媒体記録部とを備えることを特徴とする記録装置が提供される。
【０００９】
また、上記課題を解決するために、本発明の別の観点によれば、撮像素子からフレーム単位で順次出力される動画像データと、動画像データに関連付けされ静止画撮影時に撮像装置が第１の記録媒体に記録した静止画データの第１の記録媒体におけるファイル名を含む撮影情報データとが記録された第２の記録媒体から撮影情報データを抽出する撮影情報抽出部と、撮影情報データに基づいて、動画像データに対応する静止画データを第１の記録媒体から読み出す静止画像データ読出し部とを備えることを特徴とする再生装置が提供される。
【００１０】
また、上記課題を解決するために、本発明の別の観点によれば、静止画撮影時に撮像装置が第１の記録媒体に記録した静止画データの第１の記録媒体におけるファイル名を含む撮影情報データを受信するステップと、撮像素子からフレーム単位で順次出力される動画像データと、動画像データに関連付けされた撮影情報データとを第２の記録媒体に記録するステップとを備えることを特徴とする記録方法が提供される。
【００１１】
また、上記課題を解決するために、本発明の別の観点によれば、撮像素子からフレーム単位で順次出力される動画像データと、動画像データに関連付けされ静止画撮影時に撮像装置が第１の記録媒体に記録した静止画データの第１の記録媒体におけるファイル名を含む撮影情報データとが記録された第２の記録媒体から撮影情報データを抽出するステップと、撮影情報データに基づいて、動画像データに対応する静止画データを第１の記録媒体から読み出すステップとを備えることを特徴とする再生方法が提供される。
【００１２】
また、上記課題を解決するために、本発明の別の観点によれば、静止画撮影時に撮像装置が第１の記録媒体に記録した静止画データの第１の記録媒体におけるファイル名を含む撮影情報データを受信する手段、撮像素子からフレーム単位で順次出力される動画像データと、動画像データに関連付けされた撮影情報データとを第２の記録媒体に記録する手段をコンピュータに実行させるためのプログラムが提供される。
【００１３】
また、上記課題を解決するために、本発明の別の観点によれば、撮像素子からフレーム単位で順次出力される動画像データと、動画像データに関連付けされ静止画撮影時に撮像装置が第１の記録媒体に記録した静止画データの第１の記録媒体におけるファイル名を含む撮影情報データとが記録された第２の記録媒体から撮影情報データを抽出する手段、撮影情報データに基づいて、動画像データに対応する静止画データを第１の記録媒体から読み出す手段をコンピュータに実行させるためのプログラムが提供される。
【発明の効果】
【００１４】
本発明によれば、動画像再生時に、動画像記録と同時に記録された静止画を容易に読み出すことができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
（第１の実施形態）
まず、図１を参照して、本発明の第１の実施形態に係るカムコーダ１００について説明する。図１は、本実施形態に係るカムコーダ１００を示すブロック図である。
【００１７】
カムコーダ１００は、例えばメモリカードなどの記録メディア１０（第２の記録媒体）に映像データや音声データ等を記録可能な撮像装置（記録装置）である。図１に示すように、例えば、カメラ１０２と、カメラ信号処理部１０４と、通信部１１０と、フォーマット化部１１２と、ＭＰＥＧエンコーダ１２０と、マイクロホン１３０と、音声エンコーダ１３２と、ＭＰＥＧシステムエンコーダ１４０と、メディア記録部１５０などからなる。
【００１８】
カメラ信号処理部１０４は、カメラ１０２の撮像素子（例えば、ＣＣＤ（Charge  Coupled  Device）、ＣＭＯＳ（Complementary  Metal  Oxide  Semiconductor）等のセンサー）から出力された１フレーム毎の動画像データが入力される。カメラ信号処理部１０４は、入力された信号をＡＤ変換するＡＤコンバータを含んでいる。カメラ信号処理部１０４から出力されたデジタル信号の動画像データは、ＭＰＥＧエンコーダ１２０へ送られる。
【００１９】
通信部１１０は、撮影情報受信部の一例であり、撮影が行なわれたデジタルスチルカメラ２００から撮影情報を受ける。通信部１１０は、デジタルスチルカメラ２００における撮影ごとに撮影情報を受けてもよいし、１回に複数の撮影情報をまとめて受けてもよい。通信部１００は、受けた撮影情報をフォーマット化部１１２に送る。通信部１１０は、例えば、ＩＥＥＥ８０２．１１ａ／ｂ／ｇ、Ｂｌｕｅｔｏｏｔｈ形式などでデータの送受信を行なう。
【００２０】
撮影情報とは、例えば、デジタルスチルカメラ２００で撮影された画像が一意に決められる情報であり、例えば、デジタルスチルカメラ２００の識別情報（例えば、機種名、製造メーカ名、所有者に関する情報等）や、デジタルスチルカメラ２００が記録した記録メディア１２（第１の記録媒体）の識別情報（例えば、メモリ容量、製品名、製造メーカ名、所有者に関する情報等）、記録メディア１２における静止画データのファイル名などである。
【００２１】
フォーマット化部１１２は、通信部１１０がデジタルスチルカメラ２００から受けた撮影情報をフォーマット処理して、ＭＰＥＧエンコーダ１２０において記録可能な撮影情報データを生成する。フォーマット化部１１２は、生成した撮影情報データをＭＰＥＧエンコーダ１２０に送る。
【００２２】
ＭＰＥＧエンコーダ１２０は、カメラ信号処理部１０４から送られた動画像データと、フォーマット化部１１２から送られた撮影情報データに対してＭＰＥＧ規格に準拠した動画圧縮方式に圧縮符号化し、その結果得られる符号化した動画像データを、ＭＰＥＧシステムエンコーダ１４０に送る。撮影情報データは、デジタルスチルカメラ２００から撮影情報が送られた時刻に相当するＭＰＥＧビットストリーム中のフレームのヘッダに挿入される。
【００２３】
マイクロホン１３０は、カメラ１０２による動画撮影と同時に被写体の音声を取得し、オーディオエンコーダ１３２へ送る。オーディオエンコーダ１３２は、入力された音声のアナログ信号をＡＤ変換するＡＤコンバータを含んでいる。オーディオエンコーダ１３２では、音声データに対してＡＡＣ方式などの圧縮方式に圧縮符号化する。オーディオエンコーダ１３２は、圧縮符号化した音声データをＭＰＥＧシステムエンコーダ１４０へ送る。
【００２４】
ＭＰＥＧシステムエンコーダ１４０は、ＭＰＥＧエンコーダ１２０から送られた撮影情報を含む動画像データと、音声エンコーダ１３２から送られた音声データをファイル化処理し、ＭＰＥＧ形式のファイルデータを生成する。ＭＰＥＧシステムエンコーダ１４０は、動画像データと音声データについて、再生時の同期を確保するため、タイムスタンプの管理を行い、記録メディア１０に記録する。ファイル化処理によって生成された動画像データ、音声データ、撮影情報データは、メディア記録部１５０によって記録メディア１０に書き込まれる。
【００２５】
なお、図示しないが、撮像装置１００はＣＰＵが設けられる。ＣＰＵは、プログラムによって演算処理装置及び制御装置として機能し、撮像装置１００内に設けられた各構成要素の処理を制御することができる。例えば、ＣＰＵは、ＭＰＥＧシステムエンコーダ１４０からメディア記録部１５０へのデータ送信、及びメディア記録部１５０による記録メディアへのデータの記録を制御する。
【００２６】
なお、カムコーダ１００における一連の処理は、ハードウェアで処理してもよいし、コンピュータ上のプログラムによるソフトウェア処理で実現してもよい。
【００２７】
本実施形態のカムコーダ１００によれば、デジタルスチルカメラ２００から通信部１１０を介して撮影情報を取得し、取得した撮影情報と共に動画像データ、音声データを記録メディア１０に記録することができる。
【００２８】
次に、図２を参照して、本実施形態に係るデジタルスチルカメラ２００について説明する。図２は、本実施形態に係るデジタルスチルカメラ２００を示すブロック図である。
【００２９】
デジタルスチルカメラ２００は、例えばメモリカードなどの記録メディア１２に静止画像データ等を記録可能な撮像装置である。図２に示すように、デジタルスチルカメラ２００は、例えば、カメラ２０２と、カメラ信号処理部２０４と、ＪＰＥＧエンコーダ２０６と、メディア記録部２０８と、ＣＰＵ２１０と、撮影情報取得部２１２と、通信部２１４などからなる。
【００３０】
カメラ信号処理部２０４は、カメラ２０２の撮像素子（例えば、ＣＣＤ（Charge  Coupled  Device）、ＣＭＯＳ（Complementary  Metal  Oxide  Semiconductor）等のセンサー）から出力された静止画像データが入力される。カメラ信号処理部２０４は、入力された信号をＡＤ変換するＡＤコンバータを含んでいる。カメラ信号処理部２０４から出力されたデジタル信号の静止画像データは、ＪＰＥＧエンコーダ２０６へ送られる。
【００３１】
ＪＰＥＧエンコーダ２０６は、入力された静止画像データに対してＪＰＥＧ形式の圧縮符号化処理を施し、メディア記録部２０８へ圧縮画像データを送る。メディア記録部２０８は、記録メディア１２に静止画像データを記録する。
【００３２】
ＣＰＵ２１０は、プログラムによって演算処理装置及び制御装置として機能し、デジタルスチルカメラ２００内に設けられた各構成要素の処理を制御することができる。例えば、ＣＰＵ２１０は、例えば、ＪＰＥＧエンコーダ２０６からメディア記録部２０８へのデータ送信、及びメディア記録部２０８による記録メディア１２へのデータの記録を制御する。
【００３３】
撮影情報取得部２１２は、被写体を撮影した時点のカメラ２０２、記録メディア１２、ユーザなどに関する撮影情報を、ＣＰＵ２１０を介して取得する。撮影情報取得部２１２は、静止画の撮影毎に撮影情報を取得する。取得した撮影情報は一時的に蓄積され、通信部２１４を介してカムコーダ１００に送られる。通信部２１４は、デジタルスチルカメラ２００による撮影時の撮影情報をカムコーダに送る。撮影情報の送信は、撮影毎に行われてもよいし、複数の撮影情報を一度に送信してもよい。通信部２１４は、ＩＥＥＥ８０２．１１ａ／ｂ／ｇ、Ｂｌｕｅｔｏｏｔｈ形式などでデータの送受信を行なう。
【００３４】
なお、デジタルスチルカメラ２００における一連の処理は、ハードウェアで処理してもよいし、コンピュータ上のプログラムによるソフトウェア処理で実現してもよい。
【００３５】
本実施形態のデジタルスチルカメラ２００によれば、デジタルスチルカメラ２００による撮影時の撮影情報を撮影毎に取得し、取得した撮影情報をカムコーダ１００に送ることができる。
【００３６】
次に、図３を参照して、本実施形態に係る再生装置３００について説明する。図３は、本実施形態に係る再生装置３００を示すブロック図である。
【００３７】
再生装置３００は、記録メディア１０、１２に記録された動画像データ及び静止画像データを読み出して、動画像や静止画像を再生する再生装置である。再生装置３００は、図３に示すように、例えば、ホストＣＰＵ３０２と、第１メディア読出し部３０４と、システムデコーダ３０６と、音声デコード部３０８と、ビデオデコード部３１０と、撮影情報抽出部３１２と、第２メディア読出し部３１４と、ＪＰＥＧデコード部３１６と、ＭＵＸ３２０と、音声出力部３２２と、ビデオ出力部３２４などからなる。
【００３８】
ホストＣＰＵ３０２は、プログラムによって演算処理装置及び制御装置として機能し、再生装置３００内に設けられた各構成要素の処理を制御することができる。例えば、ホストＣＰＵ３０２は、記録メディア１０、１２に記録された動画像データ、静止画像データを取得する。
【００３９】
第１メディア読出し部３０４は、記録メディア１０に記録された動画像データの読み出しをする。第１メディア読出し部３０４は、読み出した動画像データをシステムデコーダ３０６に送る。システムデコーダ３０６は、第１メディア読出し部３０６で読み出したデータを一時的に溜め、音声デコード部３０８、ビデオデコード部３１０に送る。
【００４０】
音声デコード部３０８は、圧縮符号化処理された音声データをデコード処理し、デコードされた音声データを音声出力部３２２に送る。音声出力部３２２は、送られたデータをＤＡ（デジタルアナログ）変換しアナログ信号データを外部に出力する。ビデオデコード部３１０は、圧縮符号化処理された動画像データをデコード処理し、デコードされた動画像データをＭＵＸ３２０に送る。また、ビデオデコード部３１０は、撮影情報抽出部３１２に撮影情報を送る。
【００４１】
撮影情報抽出部３１２は、ビデオデコード部３１０がデコード処理したデータから撮影情報を抽出する。抽出された撮影情報は、ホストＣＰＵ３２０を介してＭＵＸ２１０へ送られ、動画像の再生時に用いられる。
【００４２】
第２メディア読出し部３１４は、静止画像データ読出し部の一例であり、撮影情報抽出部３１２が抽出した撮影情報に基づいて、記録メディア１２に記録された静止画像データの読出しをする。第２メディア読出し部３１４は、読み出した静止画像データをＪＰＥＧデコード部３１６へ送る。ＪＰＥＧデコード部３１６は、圧縮符号化処理された静止画像データをデコード処理し、デコード処理した静止画像データをＭＵＸ３２０へ送る。
【００４３】
ＭＵＸ３２０は、ビデオデコード部３１０から送られた動画像データ、ＪＰＥＧデコード部３１６から送られた静止画像データをビデオ出力部２６２へ送る。ビデオ出力部３２４は、送られたデータをＤＡ（デジタルアナログ）変換しアナログ信号データを外部に出力する。
【００４４】
本実施形態の再生装置３００によれば、カムコーダ１００によって記録メディア１０に記録された動画像データを再生するため動画像データをデコードする際、データに含まれる撮影情報を抽出する。あるフレームヘッダに撮影情報が含まれている場合、その時点でデジタルスチルカメラ２００によって撮影された静止画データがあることを示すため、再生装置３００は、静止画を再生するか、その存在をユーザに知らせることができる。
【００４５】
本実施形態によれば、動画像データ及び静止画像データの再生時の関連付けを行なうため、運動会などのイベントでカムコーダ１００とデジタルスチルカメラ２００の両方を使用して被写体を撮影したような場合、動画像データ及び静止画像データの関連性が明確になり、ユーザにとって煩雑な作業だったデータの管理が容易になる。
【００４６】
次に、図４を参照して、本実施形態のカムコーダ１００が記録する動画像データとデジタルスチルカメラ２００が記録する静止画像データの関係について説明する。図４は、本実施形態のカムコーダ１００が記録メディア１０に記録する動画像データと静止画像データが記録された記録メディア１２を示す説明図である。
【００４７】
まず、本実施形態のデジタルスチルカメラ２００で静止画の撮影が行われた場合、デジタルスチルカメラ２００で撮影された静止画像に関する撮影情報が取得され、通信部２１４を介して撮影情報がカムコーダ１００に送られる。そして、本実施形態のカムコーダ１００が通信部１１０を介して、デジタルスチルカメラ２００から撮影情報を受けた場合、ＭＰＥＧビットストリーム中のフレームのヘッダに撮影情報が記録される。撮影情報が記録されるヘッダのフレームは、例えば、デジタルスチルカメラ２００で静止画像の撮影操作が行なわれた時点に相当するフレーム、デジタルスチルカメラ２００で静止画像をエンコードした時点に相当するフレーム、カムコーダ１００がデジタルスチルカメラ２００から撮影情報画を受けた時点に相当するフレームなどである。
【００４８】
なお、ＭＰＥＧビットストリームには、sequence  header、group_of_picture  header、picture  headerのそれぞれにuser  dataを挿入することができるユーザ領域を設けることができることから、当該領域に撮影情報を記録する。例えば、図４に示すように、複数のフレームのうち、あるフレームのヘッダ（太線で示す。）にデジタルスチルカメラ２００で撮影された静止画像に関する撮影情報が記録される。
【００４９】
撮影情報には、デジタルスチルカメラ２００で撮影された静止画像を一意に決めることができる情報、例えば、デジタルスチルカメラ２００の識別情報（例えば、機種名、製造メーカ名、所有者に関する情報等）や、デジタルスチルカメラ２００が記録した記録メディア１２の識別情報（例えば、メモリ容量、製品名、製造メーカ名、所有者に関する情報等）、記録メディア１２における静止画データのファイル名などが含まれている。そのため、動画像再生時にどの記録メディア１２のどの位置に静止画像が記録されているかを特定することができる。
【００５０】
また、デジタルスチルカメラ２００や記録メディア１２の識別情報などを含むファイル名で管理されていれば、記録メディア１２から他の記録媒体（例えば、ハードディスクなど）に移動した場合でも静止画像データの読出しを行うことができる。このとき、図３で示した再生装置３００は、記録メディア１２から静止画像データを読み出すのではなく、図示しないハードディスクなどの記録媒体から静止画像データを読み出す。
【００５１】
次に、図５を参照して、本実施形態のカムコーダ１００及びデジタルスチルカメラ２００が記録した動画像及び静止画像の再生例を説明する。図５は、表示装置３３０に動画像及び静止画像が表示された状態を示す説明図である。
【００５２】
表示装置３３０は、例えば再生装置３００の音声出力部３２２とビデオ出力部３２４と接続されており、動画像及び音声の再生、静止画像の表示が可能である。例えば、動画像の再生画面３３２は表示装置３３０の画面上部に広く表示され、複数の静止画像３３８については、表示装置３３０の画面下部にサムネール表示される。そして、動画再生中に該当時刻に静止画像が存在する場合、例えば「静止画有」の表示３３６が表示される。そして、静止画サムネールの中から該当する静止画を明示したり、静止画を拡大表示させたりしてもよい。
【００５３】
このように、従来では、複数記録された静止画像のうちどの静止画像が、どの時点で記録された静止画であるかを特定することが困難であったが、動画像データに含まれた撮影情報によれば、静止画像を動画再生中に容易に読み出すことができる。なお、本発明の動画像及び静止画像の再生例は、上記の例に限定されず、静止画を特定することができる他の方法によってもよい。
【００５４】
（第２の実施形態）
次に、本発明の第２の実施形態に係るカムコーダ４００について説明する。図６は、本実施形態に係るカムコーダ４００を示すブロック図である。本実施形態において、ファイル化部４４２以外の各構成要素は第１の実施形態と同様であるため、詳細な説明は省略する。
【００５５】
本実施形態のカムコーダ４００は、第１の実施形態のカムコーダ１００と異なり、ＭＰＥＧビットストリームのフレームのヘッダに撮影情報を記録するのではなく、動画像データとは別に撮影情報を記録する。
【００５６】
図６に示すように、フォーマット化部１１２は、ファイル化部４４２に撮影情報を送り、ＭＰＥＧエンコーダ１４０は、動画像データ及び音声データをファイル化部４４２に送る。そして、ファイル化部４４２は、撮影情報に関するデータと、動画像データ及び音声データをファイル化処理する。ファイル化処理されたデータは、メディア記録部１５０を介して記録メディア１０に記録される。
【００５７】
次に、本実施形態にかかる再生装置５００について説明する。図７は、本実施形態に係る再生装置５００を示すブロック図である。本実施形態においてファイル抽出部５１０以外の各構成要素は第１の実施形態と同様であるため、詳細な説明は省略する。
【００５８】
本実施形態の再生装置５００は、第１の実施形態の再生装置３００と異なり、ＭＰＥＧビットストリームのフレームのヘッダに記録された撮影情報を抽出するのではなく、動画像データとは別に記録された撮影情報が記録されたファイルから撮影情報を読み出す。
【００５９】
図７に示すように、ファイル抽出部５１０は、第１メディア読出し部３０４が記録メディア１０から読み出した動画像データ、音声データ、撮影情報データが記録されたファイルのうち撮影情報データが記録されたファイルを抽出する。そして、抽出したファイルに記録された撮影情報に基づいて、静止画像の読出しを行う。
【００６０】
このように、本実施形態によれば、動画像データのＭＰＥＧビットストリームのヘッダに撮影情報が記録されていなくても、別の撮影情報に関するファイルを参照することで、動画再生中に該当する静止画像を読み出すことができる。なお、撮影情報データが記録されたファイルには、静止画像と動画像との同期を図るため、個々の撮影情報には撮影時の時刻など時間に関する情報が含まれる。
【００６１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００６２】
【図１】本発明の第１の実施形態に係るカムコーダを示すブロック図である。
【図２】同実施形態に係るデジタルスチルカメラを示すブロック図である。
【図３】同実施形態に係る再生装置を示すブロック図である。
【図４】同実施形態のカムコーダが記録メディアに記録する動画像データと静止画像データが記録された記録メディアを示す説明図である。
【図５】表示装置に動画像及び静止画像が表示された状態を示す説明図である。
【図６】本発明の第２の実施形態に係るカムコーダを示すブロック図である。
【図７】同実施形態に係る再生装置を示すブロック図である。
【符号の説明】
【００６３】
１０、１２      記録メディア
１００      カムコーダ
１０２、２０２      カメラ
１０４、２０４      カメラ信号処理部
１１０、２１４      通信部
１１２      フォーマット化部
１２０      ＭＰＥＧエンコーダ
１３０      マイクロホン
１３２      音声エンコーダ
１４０      ＭＰＥＧシステムエンコーダ
１５０、２０８      メディア記録部
２００      デジタルスチルカメラ
２０６      ＪＰＥＧエンコーダ
２１０      ＣＰＵ
２１２      撮影情報取得部
２１４      通信部
３００      再生装置
３０２      ホストＣＰＵ
３０４      第１メディア読出し部
３０６      システムデコーダ
３０８      音声デコード部
３１０      ビデオデコード部
３１２      撮影情報抽出部
３１４      第２メディア読出し部
３１６      ＪＰＥＧデコード部
３２０      ＭＵＸ
３２２      音声出力部
３２４      ビデオ出力部
４４２      ファイル化部
５１０      ファイル抽出部
【図１】
2009159314.tif 000003
【図２】
2009159314.tif 000004
【図３】
2009159314.tif 000005
【図４】
2009159314.tif 000006
【図５】
2009159314.tif 000007
【図６】
2009159314.tif 000008
【図７】
2009159314.tif 000009